(57)【特許請求の範囲】
【請求項１】
被選別物を選別機本体（１）内に設けた振動反転部（２）に供給し、該被選別物を振動反転部（２）で振動・反転させてほぐすと共に、被選別物に下方から空気（Ａ）を供給して被選別物中のフィルム類（Ｗ１  ）を吹き上げて分離し、次に、振動・反転によりほぐれた被選別物を振動反転部（２）の終端部側に設けた振動スクリーン部（３）に供給し、該被選別物を振動スクリーン部（３）で振動させて被選別物中の細かい不燃物（Ｗ２  ）を落下選別して不燃物落下シュート（６）へ排出すると共に、被選別物に下方から空気（Ａ）を供給して被選別物中に残っているフィルム類（Ｗ１  ）を吹き上げて分離し、その後、振動スクリーン部（３）の終端部に達した被選別物に振動スクリーン部（３）の終端部側に設けた吹上ノズル（４）から空気（Ａ）を吹き付け、被選別物中の軽量物（Ｗ３  ）を軽量物落下シュート（８）へ吹き飛ばし、該被選別物を軽量物（Ｗ３  ）と重量物（Ｗ４  ）とに選別するようにしたことを特徴とする振動風力選別方法。
【請求項２】
振動スクリーン部（３）の終端部に達した被選別物中の軽量物（Ｗ３  ）と重量物（Ｗ４  ）の物性や組成に応じて吹上ノズル（４）から噴出される空気（Ａ）の方向を変えるようにしたことを特徴とする請求項１に記載の振動風力選別方法。
【請求項３】
不燃物落下シュート（６）に二重ダンパ（１５）を設け、該二重ダンパ（１５）により不燃物落下シュート（６）からの空気（Ａ）の漏洩を防止しつつ細かい不燃物（Ｗ２  ）を不燃物落下シュート（６）から排出するようにしたことを特徴とする請求項１に記載の振動風力選別方法。
【請求項４】
一端部側に被選別物入口（５）を、又、他端部側に不燃物落下シュート（６）、重量物落下シュート（７）及び軽量物落下シュート（８）を夫々備えたボックス状の選別機本体（１）と、選別機本体（１）内の被選別物入口（５）側に設けられ、被選別物入口（５）から選別機本体（１）内へ供給された被選別物を振動・反転させてほぐすと共に、下方から空気（Ａ）が供給されて被選別物中のフィルム類（Ｗ1 ）を分離する振動反転部（２）と、振動反転部（２）の終端部側に設けられ、振動反転部（２）の終端部から供給された被選別物を振動させ、該被選別物中の細かい不燃物（Ｗ2 ）を落下選別して不燃物落下シュート（６）へ排出すると共に、下方から空気（Ａ）が供給されて被選別物中のフィルム類（Ｗ1 ）を分離する振動スクリーン部（３）と、振動スクリーン部（３）の終端部側に設けられ、振動スクリーン部（３）の終端部に達した被選別物中の軽量物（Ｗ3 ）を軽量物落下シュート（８）へ吹き飛ばして被選別物を軽量物（Ｗ3 ）と重量物（Ｗ4 ）とに選別する吹上ノズル（４）とを具備したことを特徴とする振動風力選別装置。
【発明の詳細な説明】
【０００１】
【発明の属する技術分野】
本発明は、不燃ごみ（資源ごみ）や建設廃棄物等の被選別物の選別処理に利用されるものであり、例えば不燃ごみをフィルム類、細かい不燃物、軽量物及び重量物に精度良く選別処理できるようにした振動風力選別方法及びその装置に関するものである。
【０００２】
【従来の技術】
一般に、袋に入った状態で収集された不燃ごみ（資源ごみ）は、先ず破袋機で破袋処理された後、磁選機で鉄類が回収処理される。次に、振動風力選別装置に送られ、ここで大別して次の四種類に選別処理される。即ち、不燃ごみＷは、振動風力選別装置によって、フィルム類Ｗ１  （破袋された袋片等）と、細かい不燃物Ｗ２  （土砂、ガラス片、陶器片等）と、軽量物Ｗ３  （ペットボトル、アルミ缶、紙等）と、重量物Ｗ４  （びん類、陶器類、プラスチックボトル類、木片、非磁性物類等）とに夫々選別処理され、後続の丸物選別機、アルミ選別機、ペットボトルの選別等にかかる負担の軽減を図っている。
【０００３】
図３は従来の振動風力選別装置の概略縦断面図を示し、この振動風力選別装置は、振動スクリーンと風力選別手段とを組み合わせた構造のものであり、一端部に不燃ごみ入口２１を、又、他端部に不燃物落下シュート２２、重量物落下シュート２３及び軽量物落下シュート２４を夫々有し、天井部に複数の吸気孔２５を形成した細長いボックス状の選別機本体２０と、選別機本体２０内の不燃ごみ入口２１側に前方傾斜姿勢で設けられ、終端部が不燃物落下シュート２２の上方に位置する振動スクリーン２６と、振動スクリーン２６の終端部側に設けられたスリット状の吹上ノズル２７と、選別機本体２０に接続され、振動スクリーン２６の下方部に空気を供給する第１送気ダクト２８と、吹上ノズル２７に接続された第２送気ダクト２９と、不燃物落下シュート２２内に配設されたシール用ダンパ３０とから構成されている。
尚、図３に於いて、３１は点検穴、３２は調整板である。
【０００４】
而して、破袋並びに除鉄処理された不燃ごみＷは、不燃ごみ入口２１から選別機本体３０内の振動スクリーン２６上に落下し、振動スクリーン２６の振動によって振動スクリーン２６上を始端部側から終端部側（図３の左側から右側）へ順次移動して行く。
この間、不燃ごみＷ中の土砂、ガラス片、陶器片等の細かい不燃物Ｗ２  は、振動スクリーン２６を通過して下方へ落下し、不燃物落下シュート２２へ排出された後、定期的に開放されるシール用ダンパ３０が開いたときに選別機本体２０外へ排出される。
又、振動スクリーン２６を通過しなかったペットボトル、アルミ缶、紙等の軽量物Ｗ３  やびん類、陶器類、プラスチックボトル類、木片、非磁性物類等の重量物Ｗ４  は、振動スクリーン２６上を引き続き終端部側へ移動して行く。
【０００５】
一方、振動スクリーン２６の下方部には第１送気ダクト２８から空気Ａが供給されて居り、該空気Ａは、振動スクリーン２６の目を通って振動スクリーン２６の上方空間へ吹き出し、破袋された袋片等のフィルム類Ｗ１  や紙等の極軽いものを吹き上げて不燃ごみＷから分離する。この吹き上げられたフィルム類Ｗ１  は、空気Ａと一緒に吸気孔２５へ吸い込まれ、選別機本体２０外へ排出される。
【０００６】
そして、振動スクリーン２６の終端部に達した不燃ごみＷは、吹上ノズル２７から噴出される空気Ａにより軽量物Ｗ３  と重量物Ｗ４  とに選別分離される。即ち、軽量物Ｗ３  は、吹上ノズル２７から噴出する空気Ａにより吹き飛ばされて遠方の軽量物落下シュート２４内へ、又、重量物Ｗ４  は、空気Ａにより吹き飛ばされず、振動スクリーン２６の終端部直下に設けた重量物落下シュート２３へ夫々落下して選別分離される。
このとき、軽いフィルム類Ｗ１  が残っている場合には、このフィルム類Ｗ１  は吹上ノズル２７からの空気Ａにより吹き上げられ、空気Ａと一緒に吸気孔２５から排出される。
【０００７】
このようにして、不燃ごみＷがフィルム類Ｗ１  、細かい不燃物Ｗ２  、軽量物Ｗ３  及び重量物Ｗ４  に大まかに選別されて行く。
【０００８】
【発明が解決しようとする課題】
ところで、従来の選別方法及び装置に於いては、振動スクリーン２６上に落下した不燃ごみＷがほぐされずに落下したままの姿勢で振動スクリーン２６の始端部側から終端部側へ移動することがあった。その結果、不燃ごみＷの下敷きになったフィルム類Ｗ１  が吹き飛ばされなかったり、或いは濡れた紙が重量物として振動スクリーン２６から落下したりすることがあり、選別精度が著しく低下することがあった。
又、吹上ノズル２７から噴出する空気Ａの噴出角度が一定に保たれている為、不燃ごみＷ中の軽量物Ｗ３  と重量物Ｗ４  の物性や組成が変化したときに、軽量物Ｗ３  と重量物Ｗ４  の選別分離精度が落ちると云う問題があった。
更に、不燃物落下シュート２２内のシール用ダンパ３０を開いて細かい不燃物Ｗ２  を排出するときに、空気Ａも一緒に漏洩することになり、その結果空気Ａによるフィルム類Ｗ１  の浮上分離の効果が著しく低下すると云う問題もあった。
このように、従来の選別方法及び装置に於いては、選別精度が悪く、後続の選別機（丸物選別機及びアルミ選別機等）にかかる負担が大きくなると云う問題があった。
【０００９】
本発明は、このような問題点に鑑みて為されたものであり、不燃ごみ（資源ごみ）や建設廃棄物等を精度良く選別処理できるようにした振動風力選別方法及びその装置を提供するにある。
【００１０】
【課題を解決するための手段】
上記目的を達成する為に、本発明の請求項１に記載の振動風力選別方法は、被選別物を選別機本体内に設けた振動反転部に供給し、該被選別物を振動反転部で振動・反転させてほぐすと共に、被選別物に下方から空気を供給して被選別物中のフィルム類を吹き上げて分離し、次に、振動・反転によりほぐれた被選別物を振動反転部の終端部側に設けた振動スクリーン部に供給し、該被選別物を振動スクリーン部で振動させて被選別物中の細かい不燃物を落下選別して不燃物落下シュートへ排出すると共に、被選別物に下方から空気を供給して被選別物中に残っているフィルム類を吹き上げて分離し、その後、振動スクリーン部の終端部に達した被選別物に振動スクリーン部の終端部側に設けた吹上ノズルから空気を吹き付け、被選別物中の軽量物を軽量物落下シュートへ吹き飛ばし、該被選別物を軽量物と重量物とに選別するようにしたことに特徴がある。
【００１１】
本発明の請求項２に記載の振動風力選別方法は、振動スクリーン部の終端部に達した被選別物中の軽量物と重量物の物性や組成に応じて吹上ノズルから噴出される空気の方向を変えるようにしたことに特徴がある。
【００１２】
本発明の請求項３に記載の振動風力選別方法は、不燃物落下シュートに二重ダンパを設け、該二重ダンパにより不燃物落下シュートからの空気の漏洩を防止しつつ細かい不燃物を不燃物落下シュートから排出するようにしたことに特徴がある。
【００１３】
本発明の請求項４に記載の振動風力選別装置は、一端部側に被選別物入口を、又、他端部側に不燃物落下シュート、重量物落下シュート及び軽量物落下シュートを夫々備えたボックス状の選別機本体と、選別機本体内の被選別物入口側に設けられ、被選別物入口から選別機本体内へ供給された被選別物を振動・反転させてほぐすと共に、下方から空気が供給されて被選別物中のフィルム類を分離する振動反転部と、振動反転部の終端部側に設けられ、振動反転部の終端部から供給された被選別物を振動させ、該被選別物中の細かい不燃物を落下選別して不燃物落下シュートへ排出すると共に、下方から空気が供給されて被選別物中のフィルム類を分離する振動スクリーン部と、振動スクリーン部の終端部側に設けられ、振動スクリーン部の終端部に達した被選別物中の軽量物を軽量物落下シュートへ吹き飛ばして被選別物を軽量物と重量物とに選別する吹上ノズルとを具備したことに特徴がある。
【００１４】
【発明の実施の形態】
以下、本発明の実施の形態を図面に基づいて詳細に説明する。
図１は本発明の方法を実施する振動風力選別装置の一例を示す概略縦断面図であり、当該振動風力選別装置は、ボックス状の選別機本体１と、選別機本体１内に設けられた振動反転部２と、選別機本体１内に設けられた振動スクリーン部３と、振動スクリーン部３の終端部側に設けられた吹上ノズル４とから構成されて居り、被選別物例えば破袋並びに除鉄処理された不燃ごみＷを選別処理できるようになっている。
【００１５】
前記選別機本体１は、鋼板材により断面形状が四角形の細長いボックス状に形成されて居り、前方（図１の右方向）へ若干傾斜した姿勢で配置されている。
又、選別機本体１の一端部上壁には、破袋並びに除鉄処理された不燃ごみＷを選別機本体１内へ投入する為の被選別物入口５が形成されている。
更に、選別機本体１の他端部底壁には、夫々鋼板材により形成された不燃物落下シュート６、重量物落下シュート７及び軽量物落下シュート８が中央部側から端部側へ向って順次接続されている。
【００１６】
尚、図１に於いて、９は選別機本体１の上壁に形成され、空気Ａにより吹き上げられたフィルム類Ｗ１  を吸引して選別機本体１外へ排出する為の複数の吸気孔、１０は選別機本体１内を点検する為の点検穴である。
【００１７】
前記振動反転部２は、選別機本体１内の被選別物入口５側に設けられて居り、被選別物入口５から選別機本体１内へ投入された不燃ごみＷを振動・反転させてほぐすと共に、下方から空気Ａを供給してフィルム類Ｗ１  を吹き上げて分離するものである。
【００１８】
この例では、振動反転部２は、複数枚の矩形状の鋼板２ａを夫々前方（図１の右方向）へ若干傾斜する姿勢で且つ階段状に配設し、段差部分に上方へ向って空気Ａを噴出できる反転ほぐしノズル１１を形成することによって構成されている。
又、振動反転部２は、従来公知の振動スクリーンと同様にクランク機構（若しくはカム機構）及びモータ等から成る駆動部（何れも図示省略）によって振動するように構成されている。
更に、振動反転部２の下方部には、選別機本体１に接続された第１送気ダクト１２から空気Ａが供給されるようになっている。
【００１９】
前記振動スクリーン部３は、振動反転部２の終端部側（図１の右側）に設けられて居り、振動反転部２から供給された不燃ごみＷを振動させ、該不燃ごみＷ中の細かい不燃物Ｗ２  を落下選別して不燃物落下シュート６へ排出すると共に、不燃ごみＷに下方から空気Ａを供給して不燃ごみＷ中に残っているフィルム類Ｗ１  を吹き上げて分離するものである。
【００２０】
この例では、振動スクリーン部３は、帯状の鋼板３ａを選別機本体１の長手方向（図１の左右方向）に沿って一定間隔毎に並設し、各帯状の鋼板３ａ間に細かい不燃物Ｗ２  の通過を許容する多数のスリット状の目を形成することによって構成されて居り、全体的に前方へ若干傾斜する姿勢で配置されていると共に、終端部（図１の右側部分）が不燃物落下シュート６の上方に位置するようになっている。
又、振動スクリーン部３は、従来公知の振動スクリーンと同様にクランク機構（若しくはカム機構）及びモータ等から成る駆動部（何れも図示省略）によって振動するように構成されている。
更に、振動スクリーン部３の下方部には、選別機本体１に接続された第２送気ダクト１３から空気Ａが供給されるようになっている。
【００２１】
前記吹上ノズル４は、振動スクリーン部３の終端部側で且つ不燃物落下シュート６と重量物落下シュート７との間に設けられて居り、振動スクリーン部３の終端部に達した不燃ごみＷ中の軽量物Ｗ３  を軽量物落下シュート８へ吹き飛ばし、該不燃ごみＷを軽量物Ｗ３  と重量物Ｗ４  とに選別するものである。
【００２２】
この例では、吹上ノズル４は、振動スクリーン部３の終端部側に選別機本体１の幅方向に沿って配置した円筒状の第３送気ダクト１４に設けられている。即ち、吹上ノズル４は、図２に示す如く、第３送気ダクト１４の外周壁を長手方向に沿ってスリット状に開口することによって形成されて居り、斜め上方へ空気Ａを噴出できるようになっている。
又、第３送気ダクト１４は、回転自在に設けられ、モータや流体圧シリンダ等の駆動部（図示省略）により回転角度を調整できるように構成されて居り、吹上ノズル４から噴出される空気Ａの噴出角度を可変できるようになっている。
【００２３】
尚、前記振動風力選別装置に於いて、不燃物落下シュート６内には、上部ダンパ１５ａ及び下部ダンパ１５ｂから成る二重ダンパ１５が設けられて居り、該二重ダンパ１５の上部ダンパ１５ａ及び下部ダンパ１５ｂは、不燃物落下シュート６からの空気Ａの漏洩を防止しつつ細かい不燃物Ｗ２  を不燃物落下シュート６から選別機本体１外へ排出できるように交互に開閉制御されている。。
又、重量物落下シュート７と軽量物落下シュート８との境界位置には、傾倒角度を調整できる調整板１６が設けられて居り、調整板１６の角度を調整することによって重量物Ｗ４  と軽量物Ｗ３  との選別をより効果的に行えるようになっている。
【００２４】
次に、以上のように構成された振動風力選別装置を用いて不燃ごみＷ（資源ごみ）を選別処理する場合について説明する。
【００２５】
袋に入った状態で収集された不燃ごみＷは、先ず破袋機で破袋処理された後、磁選機で鉄類が回収され、その後被選別物入口５から選別機本体１に入り、振動反転部２上に落下する。
【００２６】
振動反転部２に落下した不燃ごみＷは、振動反転部２が傾斜し且つ振動していることとも相俟って、振動を受けつつ振動反転部２上を始端部側から終端部側（図１の左側から右側）へ移動し、振動反転部２の段差部分で落下反転する。又、不燃ごみＷは、振動反転部２が複数の段差部分を備えている為、該段差部分で落下反転を繰り返しながら振動反転部２の終端部側へ移動して行く。この間、不燃ごみＷは、振動及び反転を繰り返すことによって完全にほぐされ、その後の選別が容易に行えるようになる。又、破袋された袋片等のフィルム類Ｗ１  も、他の不燃ごみＷから分離したり、遊離し易くなる。
【００２７】
一方、振動反転部２の下方部には、第１送気ダクト１２から空気Ａが供給されている。この空気Ａは、反転ほぐしノズル１１から振動反転部２の上方へ吹き出し、振動反転部２の段差部分を落下反転する不燃ごみＷに直接衝突して不燃ごみＷの落下反転動作を激しく助長すると共に、不燃ごみＷをほぐす作用をする。
【００２８】
そして、振動・反転によって不燃ごみＷから遊離したフィルム類Ｗ１  や極軽い紙片等は、反転ほぐしノズル１１から吹き出す空気Ａによって吹き上げられ、空気Ａと一緒に吸気孔９へ吸い込まれて選別機本体１外へ排出される。
【００２９】
振動反転部２の振動・反転作用によりほぐされてフィルム類Ｗ１  が分離された不燃ごみＷは、次に振動反転部２の終端部から振動スクリーン部３上へ移動し、ここで激しい振動作用を受けながら振動スクリーン部３上を始端部側から終端部側（図１の左側から右側）へ移動して行く。この間、不燃ごみＷ中の細かい不燃物Ｗ２  （例えば土砂、ガラス片、陶器片等）は、振動スクリーン部３の目を通過して下方へ落下し、第２送気ダクト１３からの空気Ａにより不燃物落下シュート６へ送り込まれ、閉塞位置にある二重ダンパ１５の上部ダンパ１５ａに貯えられる。
【００３０】
又、振動スクリーン部３の下方部には、第２送気ダクト１３から空気Ａが供給されている。この空気Ａは、振動スクリーン部３の目を通って振動スクリーン部３の上方空間へ吹き出し、不燃ごみＷ中に残っているフィルム類Ｗ１  や紙片等を吹き上げて不燃ごみＷから分離する。この吹き上げられたフィルム類Ｗ１  は、空気Ａと一緒に吸気孔９へ吸い込まれ、選別機本体１外へ排出される。
【００３１】
そして、振動スクリーン部３の終端部に達した不燃ごみＷは、その後吹上ノズル４から噴出する空気Ａにより軽量物Ｗ３  と重量物Ｗ４  とに選別される。即ち、ペットボトル、アルミ缶、紙等の軽量物Ｗ３  は、第３送気ダクト１４を経て吹上ノズル４から斜め上方へ吹き上げられる空気Ａにより、遠方へ吹き飛ばされて軽量物落下シュート８へ落下する。又、びん類、陶器類、プラスチックボトル類、木片、非磁性物類等の重量物Ｗ４  は、吹上ノズル４からの空気Ａによっても吹き飛ばされず、吹上ノズル４の直下に設けた重量物落下シュート７内へ落下する。更に、不燃ごみＷにフィルム類Ｗ１  が残存していた場合には、このフィルム類Ｗ１  は吹上ノズル４からの空気Ａによって吹き上げられ、空気Ａと一緒に吸気孔９へ吸い込まれて行く。
【００３２】
尚、吹上ノズル４は、軽量物Ｗ３  と重量物Ｗ４  の物性や組成に応じて予め空気Ａの噴出方向が調整されて居り、軽量物Ｗ３  と重量物Ｗ４  の選別をより効果的に行えるようになっている。又、調整板１６も、軽量物Ｗ３  と重量物Ｗ４  の物性や組成に応じて予め角度が調整されている。
【００３３】
一方、不燃物落下シュート６内の上部ダンパ１５ａに貯えられた細かい不燃物Ｗ２  は、定期的に開放される上部ダンパ１５ａが開いたときに上部ダンパ１５ａ上から落下し、閉塞位置にある下部ダンパ１５ｂ上に貯えられる。尚、上部ダンパ１５ａは、細かい不燃物Ｗ２  を落下させた後、直ちに閉塞位置に復帰する。
【００３４】
細かい不燃物Ｗ２  が下部ダンパ１５ｂ上に貯えられると、次に下部ダンパ１５ｂが開放される。その結果、下部ダンパ１５ｂ上の細かい不燃物Ｗ２  は、不燃物落下シュート６から不燃物ピット（図示省略）内へ落下排出される。このとき、上部ダンパ１５ａが閉塞位置にある為、不燃物落下シュート６から空気Ａが漏洩することもない。尚、下部ダンパ１５ｂは、細かい不燃物Ｗ２  を落下させた後、直ちに閉塞位置に復帰する。
【００３５】
このように、二重ダンパ１５（上部ダンパ１５ａ及び下部ダンパ１５）が上記サイクルを繰り返すことにより、不燃物Ｗ２  の排出時に於ける不燃物落下シュート６からの空気Ａの漏洩を防止することができる。その結果、フィルム類Ｗ１  の吹き上げ分離を効率的に行え、風力選別の効果を維持することができる。
【００３６】
以上のようにして、不燃ごみＷは、フィルム類Ｗ１  、細かい不燃物Ｗ２  、軽量物Ｗ３  及び重量物Ｗ４  に夫々選別処理されて行く。
【００３７】
尚、上記例に於いては、振動スクリーン部３のスクリーンの目の大きさを全て同じ大きさに形成するようにしたが、他の例に於いては、振動スクリーン部３を選別機本体１の長手方向（図１の左右方向）に亘って複数に分割し、夫々のスクリーンの目のサイズを変えると共に、各スクリーンの下方に二重ダンパ１５を設けた不燃物落下シュート６を夫々配設するようにしても良い。即ち、始端部側から終端部側へ向って細かいスクリーンから順次粗いスクリーンを配置するようにしても良い。このようにすれば、不燃物Ｗ２  をサイズ毎に分けて回収することができる。
【００３８】
上記例に於いては、振動スクリーン部３のスクリーンの目をスリット状に形成したが、他の例に於いては、振動スクリーン部３を網目状に形成するようにしても良い。
【００３９】
上記例に於いては、振動風力選別装置を用いて不燃ごみＷ（資源ごみ）を選別処理するようにしたが、他の例に於いては、振動風力選別装置を用いて土砂、コンクリート片、木材等を含む建設廃棄物を選別処理するようにしても良い。この場合にも、上記例と同様の作用効果を奏することができる。
【００４０】
【発明の効果】
以上の説明からも明らかなように、本発明によれば、選別機本体内に振動反転部と振動スクリーン部とを並設し、被選別物を振動スクリーン部で選別する前に、被選別物を振動反転部で下方から空気を供給しつつ振動・反転させてほぐすようにしている為、被選別物中のフィルム類が遊離し易くなると共に、不燃物同士の固着がほぐれることになり、以後の選別を精度良く簡単且つ容易に行える。
又、吹上ノズルの向きを変えられるようにし、被選別物中の軽量物と重量物の物性や組成に応じて吹上ノズルから噴出される空気の噴出方向を変えるようにしている為、軽量物と重量物の物性や組成が変化した場合でも、両者の分離を確実に行える。
更に、不燃物落下シュート内に二重ダンパを設け、不燃物の排出時に不燃物落下シュートからの空気の漏洩を防止するようにした為、風力選別の機能が低下するのを防止することができる。
【００４１】
即ち、本発明は、不燃ごみや建設廃棄物等を精度良く選別処理することができ、後続の選別機（丸物選別機及びアルミ選別機等）の負荷を軽減することができる。延いては、後続の機器の構造がシンプルになり、プラント全体がコンパクトになると共に、コストの低減を図れる。然も、選別処理されたものは、夫々純度が高くなっているので、再利用し易くなると共に、埋立て処理にも好都合である。
【図面の簡単な説明】
【図１】本発明の方法を実施する振動風力選別装置の一例を示す概略縦断面図である。
【図２】第３送気ダクト及び吹上ノズルの概略斜視図である。
【図３】従来の振動風力選別装置の概略縦断面図である。
【符号の説明】
１は選別機本体、２は振動反転部、３は振動スクリーン部、４は吹上ノズル、５は被選別物入口、６は不燃物落下シュート、７は重量物落下シュート、８は軽量物落下シュート、１５は二重ダンパ、Ａは空気、Ｗは不燃ごみ、Ｗ１  はフィルム類、Ｗ２  は細かい不燃物、Ｗ３  は軽量物、Ｗ４  は重量物
【図１】
0003611406.tif 000002
【図２】
0003611406.tif 000003
【図３】
0003611406.tif 000004